(57)【要約】      （修正有）【課題】簡単な構成で、呼気を浄化してから外部に放出する安価で製作が容易な呼気浄化器を提供する。【解決手段】呼気浄化器１０は、ボトル本体１２と、その内部に収容される消毒剤と、ボトル本体１２の内側に設けられた内部スポンジ体２２及び消毒剤吸収体３０と、ボトル本体１２の筒口の内側に設けられた上部スポンジ体と、上部スポンジ体から上端が突出するように配置され、多数の空気穴５４を有するセンターストロー５０と、その中空部に収納可能であって、呼気９０をセンターストロー５０の下端と空気穴５４からボトル本体１２内に送り込む呼気導入ストロー６０と、筒口に着脱可能なキャップ７０を備える。消毒剤を吸収した内部スポンジ体２２及び消毒液吸収体３０に接触した呼気９０は消毒され、消毒済みの呼気９２が、上部スポンジ体の微細孔から外部に排出される。【選択図】図１
0003230015.tif 000002
【実用新案登録請求の範囲】
【請求項１】
上方が開口した筒口を有するボトル本体と、
該ボトル本体の内部に収容される消毒剤と、
前記ボトル本体の内側の底部に設けられており、前記消毒剤を吸収する多孔質で弾性を有するスポンジからなり、中央に貫通孔を有する第１の消毒剤吸収体と、
前記ボトル本体の内面に沿って、前記第１の消毒剤吸収体よりも上方に設けられており、前記消毒剤を吸収する第２の消毒剤吸収体と、
前記ボトルの筒口の内側に設けられており、多孔質で弾性を有するスポンジからなり、中央に、前記第１の消毒剤吸収体の貫通孔と同一径の貫通孔を有する上部スポンジ体と、
該上部スポンジ体の貫通孔から、前記第１の消毒剤吸収体の貫通孔に達し、かつ、前記上部スポンジ体から上方に突出するように配置され、中空であって、周囲に多数の空気穴を有するセンターストローと、
該センターストローの中空部に収納可能であって、呼気を前記センターストローの空気穴を介して前記ボトル本体内に送り込む呼気導入ストローと、
前記ボトル本体の筒口に着脱可能に取り付けられ、かつ、取り外さずに開閉可能な蓋部を有するキャップ、
を備えたことを特徴とする呼気浄化器。
【請求項２】
前記第２の消毒剤吸収体が、
前記ボトル本体の内面に沿って広がる可撓性の芯材と、
該芯材を包み、前記消毒剤を吸収する布地と、
からなることを特徴とする請求項１記載の呼気浄化器。
【請求項３】
前記センターストローは、前記ボトル本体に装着したときに、該ボトル本体の筒口より下側の位置に、前記多数の空気穴を有することを特徴とする請求項１又は２に記載の呼気浄化器。
【請求項４】
前記呼気導入ストローは、使用者が口に含む側の端部寄りに、折り曲げ可能なジャバラ部を有することを特徴とする請求項１〜３のいずれか一項に記載の呼気浄化器。
【請求項５】
前記消毒剤が、うがい薬であることを特徴とする請求項１〜４のいずれか一項に記載の呼気浄化器。
【考案の詳細な説明】
【技術分野】
【０００１】
本考案は、吐く息（呼気）を消毒するための呼気浄化器に関する。
【背景技術】
【０００２】
屋外に持ち出して使用できる携帯用空気浄化装置として、例えば、下記特許文献１に記載の技術がある。当該特許文献１によれば、本体内部にイオン発生素子を備え、正イオンと負イオンを空気中に放出し、空気中に浮遊する細菌を除去することが開示されている。そして、この携帯型空気浄化装置を、例えば、マスク型に加工することにより、本体を顔に装着して、マスクとして使用することが開示されている。
【０００３】
また、本願出願人による下記特許文献２に記載の呼気浄化器もある。当該特許文献２には、上方が開口した筒口を有するボトル本体と、該ボトル本体の内部に収容される消毒剤と、前記ボトル本体の内面に沿って設けられており、前記消毒剤を吸収する消毒剤吸収体と、前記筒口の内側に設けられており、消毒前後の呼気が通過する中空の複数のチューブからなる呼気整流体と、該呼気整流体のいずれかのチューブを貫通し、呼気を前記ボトル本体に送り込む呼気導入チューブと、該呼気導入チューブが貫通するとともに、前記ボトル本体の筒口を塞ぐ微細孔を有するスポンジ体と、を備えることを特徴とする呼気浄化器が開示されている。
【先行技術文献】
【特許文献】
【０００４】
【特許文献１】特開２００３−３４３８８７号公報
【特許文献２】特許第６７６５５６５号公報
【考案の概要】
【考案が解決しようとする課題】
【０００５】
人間の呼吸を通して吸入される空気中には、ウィルス、カビ菌のアレルゲン物質に代表される多くの細菌や微生物が存在している。このような汚れた空気を吸い込むと、例えば、新型コロナウイルス感染症やインフルエンザなどの種々の病気を誘発する。上述した特許文献１に記載の技術は、マスク型に加工して装着することにより、吸入する空気を殺菌して、細菌が原因の感染症や病気を予防し、吐き出した息に含まれる臭い成分を分解、除去することが開示されている。しかしながら、特許文献１に記載の技術では、携帯型とはいえ、電池やバッテリーが必要となり、簡単な構成で安価に製作することができない。
【０００６】
また、前記特許文献２の呼気浄化器は、簡単な構成で安価に製作することはできるが、製品の組み立ての際に接着剤を使用する必要があるなど、製作の容易さの面で課題がある。
【０００７】
本考案は、以上のような点に着目したもので、簡単な構成で、呼気を浄化（殺菌、滅菌、除菌等）してから外部に放出することができる安価で製作が容易な呼気浄化器を提供することを、その目的とする。
【課題を解決するための手段】
【０００８】
本考案の呼気浄化器は、上方が開口した筒口を有するボトル本体と、該ボトル本体の内部に収容される消毒剤と、前記ボトル本体の内側の底部に設けられており、前記消毒剤を吸収する多孔質で弾性を有するスポンジからなり、中央に貫通孔を有する第１の消毒剤吸収体と、前記ボトル本体の内面に沿って、前記第１の消毒剤吸収体よりも上方に設けられており、前記消毒剤を吸収する第２の消毒剤吸収体と、前記ボトルの筒口の内側に設けられており、多孔質で弾性を有するスポンジからなり、中央に、前記第１の消毒剤吸収体の貫通孔と同一径の貫通孔を有する上部スポンジ体と、該上部スポンジ体の貫通孔から、前記第１の消毒剤吸収体の貫通孔に達し、かつ、前記上部スポンジ体から上方に突出するように配置され、中空であって、周囲に多数の空気穴を有するセンターストローと、該センターストローの中空部に収納可能であって、呼気を前記センターストローの空気穴を介して前記ボトル本体内に送り込む呼気導入ストローと、前記ボトル本体の筒口に着脱可能に取り付けられ、かつ、取り外さずに開閉可能な蓋部を有するキャップ、を備えることを特徴とする。
【０００９】
主要な形態の一つは、前記第２の消毒剤吸収体が、前記ボトル本体の内面に沿って広がる可撓性の芯材と、該芯材を包み、前記消毒剤を吸収する布地と、からなることを特徴とする。
【００１０】
他の形態の一つは、前記センターストローは、前記ボトル本体に装着したときに、該ボトル本体の筒口より下側の位置に、前記多数の空気穴を有することを特徴とする。
【００１１】
更に他の形態の一つは、前記呼気導入ストローは、使用者が口に含む側の端部寄りに、折り曲げ可能なジャバラ部を有することを特徴とする。
【００１２】
更に他の形態の一つは、前記消毒剤が、うがい薬であることを特徴とする。本考案の前記及び他の目的、特徴、利点は、以下の詳細な説明及び添付図面から明瞭になろう。
【考案の効果】
【００１３】
本考案の呼気浄化器によれば、上方が開口した筒口を有するボトル本体と、該ボトル本体の内部に収容される消毒剤と、前記ボトル本体の内側の底部に設けられており、前記消毒剤を吸収する多孔質で弾性を有するスポンジからなり、中央に貫通孔を有する第１の消毒剤吸収体と、前記ボトル本体の内面に沿って、前記第１の消毒剤吸収体よりも上方に設けられており、前記消毒剤を吸収する第２の消毒剤吸収体と、前記ボトルの筒口の内側に設けられており、多孔質で弾性を有するスポンジからなり、中央に、前記第１の消毒剤吸収体の貫通孔と同一径の貫通孔を有する上部スポンジ体と、該上部スポンジ体の貫通孔から、前記第１の消毒剤吸収体の貫通孔に達し、かつ、前記上部スポンジ体から上方に突出するように配置され、中空であって、周囲に多数の空気穴を有するセンターストローと、該センターストローの中空部に収納可能であって、呼気を前記センターストローの空気穴を介して前記ボトル本体内に送り込む呼気導入ストローと、前記ボトル本体の筒口に着脱可能に取り付けられ、かつ、取り外さずに開閉可能な蓋部を有するキャップ、を備えることとした。
【００１４】
この構成により、簡単な構成で、呼気を浄化してから外部に放出する安価で製作も容易な呼気浄化器を提供することができ、保菌者又はその可能性がある者が使用することで、周囲の人々が感染するのを防止することができる。また、消毒剤として、うがい薬を使用することにより、消毒効果があり、吹き戻しのうがい薬による口内の消毒も可能となる。また、消毒剤を吸い上げてうがい薬として使用してもよい。
【図面の簡単な説明】
【００１５】
【図１】本考案の呼気浄化器の一実施形態の使用状態を示す外観斜視図である。
【図２】前記実施形態の呼気浄化器の構成部材を取り外して示す外観斜視図である。
【図３】前記実施形態の呼気浄化器を構成する構成部材の一例を示す図であり、(A)はボトル本体、(B)は内部スポンジ体、(C)は消毒剤吸収体、(D)は上部スポンジ体を示す図である。
【図４】前記実施形態の呼気浄化器を構成する構成部材の一例を示す図であり、(A)はセンタストロー、(B)は呼気導入ストロー、(C)は消毒剤、(D)はキャップを示す図である。
【図５】前記実施形態の呼気浄化器の使用手順の一例を示す図である。
【考案を実施するための形態】
【００１６】
本考案の呼気浄化器は、上方が開口した筒口を有するボトル本体と、該ボトル本体の内部に収容される消毒剤と、前記ボトル本体の内側の底部に設けられており、前記消毒剤を吸収する多孔質で弾性を有するスポンジからなり、中央に貫通孔を有する第１の消毒剤吸収体と、前記ボトル本体の内面に沿って、前記第１の消毒剤吸収体よりも上方に設けられており、前記消毒剤を吸収する第２の消毒剤吸収体と、前記ボトルの筒口の内側に設けられており、多孔質で弾性を有するスポンジからなり、中央に、前記第１の消毒剤吸収体の貫通孔と同一径の貫通孔を有する上部スポンジ体と、該上部スポンジ体の貫通孔から、前記第１の消毒剤吸収体の貫通孔に達し、かつ、前記上部スポンジ体から上方に突出するように配置され、中空であって、周囲に多数の空気穴を有するセンターストローと、該センターストローの中空部に収納可能であって、呼気を前記センターストローの空気穴を介して前記ボトル本体内に送り込む呼気導入ストローと、前記ボトル本体の筒口に着脱可能に取り付けられ、かつ、取り外さずに開閉可能な蓋部を有するキャップ、を備える。
【００１７】
この構成により、呼気導入ストローによってボトル本体に導入された呼気が、当該ボトル本体の内部に設けられた第１の消毒剤吸収体及び第２の消毒剤吸収体に広い面積で接触することで浄化（殺菌、滅菌、除菌等）され、浄化済みの呼気が、上部スポンジ体を介して外部に放出される。このため、安価かつ簡単な構成で、製作も容易であり、呼気を浄化してから外部に放出することができ、保菌者又はその可能性がある者が使用することで、周囲の人々が感染するのを防止することができる。また、消毒剤として、うがい薬を使用することにより、消毒効果があり、吹き戻しのうがい薬による口内の消毒も可能となる。また、消毒剤を吸い上げてうがい薬として使用してもよい。
【００１８】
以下、本考案を実施するための最良の形態を、図１〜図５に基づいて詳細に説明する。図１は、本考案の呼気浄化器の一実施形態の使用状態を示す外観斜視図である。図２は、前記呼気浄化器の構成部材を取り外して示す外観斜視図、図３及び図４は、前記呼気浄化器を構成する構成部材の一例を示す図である。図５は、前記呼気浄化器の使用手順の一例を示す図である。
【００１９】
図１〜図５に示すように、本実施形態の呼気浄化器１０は、ボトル本体１２と、内部スポンジ体２２（第１の消毒剤吸収体）と、消毒剤吸収体３０（第２の消毒剤吸収体）と、上部スポンジ体４０と、センターストロー５０と、呼気導入ストロー６０と、消毒剤６６と、キャップ７０により構成されている。
【００２０】
ボトル本体１２は、図３(A)に示すように、略円筒状の筒部１４と、底面１６と、上端が開口した筒口２０と、前記筒部１４から前記筒口２０に向けて径が小さくなる傾斜部１８を有する。前記筒口２０の外周には、キャップ７０を着脱可能に取り付けるためのネジ部が形成されている。このようなボトル本体１２は、例えば、使用済みの飲料のペットボトルを使用することができる。ボトル本体１２の容量は、例えば、持ち運びの観点から、３５０ｍｌ〜５００ｍｌ程度のものが好ましい。
【００２１】
ボトル本体１２は、着色や模様が施されていてもよいが、内部に入れる消毒剤６６の量が確認できるように、透明性のあるものが好ましい。また、消毒剤６６は、呼気９０を消毒（殺菌、滅菌、除菌等の処理を含む）できるものであれば、公知の各種の液体の消毒剤が利用可能であるが、本実施例では、うがい薬を消毒剤６６として利用する。
【００２２】
ボトル本体１２の筒部１４の内側の底部には、多孔質で消毒剤６６を吸収可能な弾性を有する内部スポンジ２２体（第１の消毒剤吸収体）が設けられている。該内部スポンジ体２２は、図３(B)に示すように、直方体状であって、例えば、長さＬ１が５ｃｍ、幅Ｗ１が５ｃｍ、高さＨ１が３ｃｍに設定されている。内部スポンジ体２２の中央には、後述するセンターストロー５０の下端を差し込むための貫通孔２４が設けられている。該貫通孔２４の径は、使用するセンターストロー５０の太さに応じて適宜変更してよい。
【００２３】
前記内部スポンジ体２２は、小さく押しつぶして、ボトル本体１２の内部に挿入した後に、多数の微細孔が空気を吸うことで、ボトル本体１２の底面１６を覆うように広がる。そして、前記内部スポンジ体２２が消毒剤６６を吸収することにより、消毒剤６６を含んだ内部スポンジ体２２が、ボトル本体１２の筒部１４の内面の底面側のほぼ全体を覆うようになる。
【００２４】
次に、消毒剤吸収体３０は、図３(C)に示すように、ボトル本体１２の内面に沿って前記内部スポンジ体２２の上方に配置されており、消毒剤６６を吸収するものである。図示の例では、消毒剤吸収体３０は、ボトル本体１２の内面に沿って広がる可撓性の芯材３２を、消毒剤６６を吸収する布地３４で包み、縫製によって閉じたものである。前記芯材３２は、例えば、幅Ｗ２が１１ｃｍ、高さＨ２が３ｃｍに設定されている。
【００２５】
前記芯材３２は、例えば、可撓性を有するプラスチックシートが利用され、細く丸めてボトル本体１２の内部に挿入した後に、内面に沿って広がるようになっている。そして、前記芯材３２を包む布地３４が消毒剤６６を吸収することにより、消毒剤６６を含んだ消毒剤吸収体３０が、ボトル本体１２の筒部１４の側面内側をほぼ覆うようになる。
【００２６】
次に、上部スポンジ体４０は、前記ボトル本体１２の筒口２０の内側に設けられており（図２参照）、多孔質で弾性を有し、図３(D)に示すように、前記内部スポンジ体２２の貫通孔２４と略同一径の貫通孔４２を中央に有する。前記上部スポンジ体４０は、例えば、幅Ｗ３が３ｃｍ、長さＬ３が３ｃｍ、高さＨ３が３ｃｍに設定されている。このような上部スポンジ体２４は、小さく圧縮して、前記筒口２０に嵌めると、微細孔が空気を含んで膨張し、その反発力によって筒口２０の内側に保持される。このように、上部スポンジ体４０によってボトル本体１２の筒口２０（センターストロー挿入部分除く）を塞ぐようにすると、消毒剤６６の飛沫が筒口２０から出るのを防ぐことがっできる。なお、上部スポンジ体４０によって筒口２０を塞いでも、当該上部スポンジ体４０の微細孔を介して、消毒済みの呼気９２が通過可能であるため、消毒済みの呼気９２の排出路として機能する。
【００２７】
次に、センターストロー５０は、図４(A)に示すように、中空であって、下端５０Ａ側に多数の空気穴５４を有する。前記センターストロー５０は、前記上部スポンジ体４０の貫通孔４２から、前記内部スポンジ体２２の貫通孔２４に達し、かつ、前記上部スポンジ体４０から上方に突出するように配置される。センターストロー５０は、例えば、上端５０Ａから下端５０Ｂまでの全体の長さＨ４が１１．５ｃｍであり、上端５０Ａ側の前記空気穴５４が形成されていない部分の長さＨ５が３ｃｍに設定されている。
【００２８】
次に、呼気導入ストロー６０は、図４(B)に示すように、上端６０Ａから下端６０Ｂまで全体が中空部６２となっており、前記上端６０Ａ側には、ストローを曲げたり、長さを伸縮するためのジャバラ部６４が設けられている。このような呼気導入ストロー６０は、前記センターストロー５０の中空部５２より径が小さく、全体が、前記センターストロー５０の中空部５２に収納可能となっており、使用するときに、センターストロー５０から引き出して、上端６０Ａ側を口に含む。
【００２９】
本実施形態では、前記呼気導入ストロー６０とセンターストロー５０が呼気９０の導入路であり、上部スポンジ体４０が、消毒後の呼気９２の排出路として機能する。前記センタストロー５０から上端６０Ａ側が引き出された呼気導入ストロー６０に呼気９０を送ると、当該呼気導入ストロー６０からセンターストロー５０に呼気９０が送られ、前記センターストロー５０の空気穴５４と下端５０Ｂから、ボトル本体１２の内部全体へ呼気９０が送られ、消毒剤６６を吸収した内部スポンジ体２２及び側面の消毒剤吸収体３０へ呼気９０が接触し、消毒される。消毒済みの呼気９２は、上部スポンジ体４０の微細孔を通じて外部へ排出される。
【００３０】
本実施例では、消毒剤６６（図４(C)）は、例えば、うがい薬が使用される。うがい薬を使用することにより、消毒効果があり、吹き戻しのうがい薬が口内を消毒する。また、消毒剤６６を吸い上げて、うがい薬として使用することも可能である。なお、消毒剤６６は、例えば、センターストロー５０から流し込むことで追加が可能である。
【００３１】
次に、前記キャップ７０は、前記ボトル本体１２の筒口２０に着脱可能に取り付けられるものであり、取り外さずに開閉可能な蓋部を有する。具体的には、図４(D)に示すように、フランジ部７２の下側に、前記ボトル本体１２の筒口２０に着脱可能に取り付けるための略円筒状の取り付け部７４を有し、該取り付け部７４の内周面には、前記筒口２０の外周面に形成されたネジ部と螺合するネジ部が設けられている。
【００３２】
また、前記フランジ部７２の上側には、円筒状の筒部７６が設けられている。該筒部７６の中空部７７を介して、前記内部スポンジ体２２の貫通孔２４及び上部スポンジ体４０の貫通孔４２に支持されたセンターストロー５０の中空部５２に収納された呼気導入ストロー６０が引き出される。
【００３３】
更に、前記フランジ部７２には、爪７８とヒンジ部８０が設けられており、ヒンジ部８０には、前記中空部７７の上端を覆う蓋８２が取り付けられている。前記爪７８を押すことで、蓋８２のロックが解除され、ヒンジ部８０によって蓋８２を開くことができる。なお、このようなロック機構は一例であり、同様の効果を奏する範囲内で、公知の各種のロック機構を利用してよい。
【００３４】
次に、本実施形態の呼気浄化器１０の製作手順の一例を説明する。なお、あらかじめ、消毒剤吸収体３０は製作しておくものとする。まず、内部スポンジ体２２を圧縮して、ボトル本体１２の筒口２０から内部に挿入する。挿入された内部スポンジ２２体は、微細孔が空気を含んで膨らみ、元の形状に戻って、ボトル本体１２の底面側を覆う。
【００３５】
次に、消毒剤吸収体３０を丸めてボトル本体１２の筒口２０から内部に挿入する。挿入された消毒剤吸収体３０は、可撓性の芯材３２によって、ボトル本体１２の筒部１４の内面に沿うように広がる。
【００３６】
そして、筒口２０から消毒剤６６を、ボトル本体１２の内部に注ぐ。消毒剤６６は、例えば、筒部１４の高さの１／４〜１／２程度の高さまで注ぐ。すると、内部スポンジ体２２が消毒剤６６を吸収するとともに、消毒剤吸収体３０の布地３４が消毒剤６６を吸収して吸い上げ、ボトル本体１２の筒部１４の内面のほぼ全面に消毒剤６６が広がる。
【００３７】
次に、上部スポンジ体４０を圧縮して、図２に示すように、ボトル本体１２の筒口２０の内側に取り付ける。圧縮されていた上部スポンジ体４０は、筒口２０の内側に配置してから圧縮している手を放すと微細孔が空気を吸って元の形状に戻ろうとし、筒口２０の内側に対して反発力が生じるため、接着剤等を使わずに、反発力だけで筒口２０の内側に取り付けることができる。
【００３８】
次に、センターストロー５０を、前記上部スポンジ体４０の貫通孔４２を貫通し、下端５０Ｂが内部スポンジ２２体の貫通孔２４に収まるようにセンターストロー５０を差し込む。なお、前記上部スポンジ体４０をセンターストロー５０に取り付けておいてから、上部スポンジ体４０を圧縮して筒口２０に取り付けるようにしてもよい。
【００３９】
そして、前記センターストロー５０の中空部５２に、前記呼気導入ストロー６０を収納し、最後に、キャップ７０をボトル本体１２の筒口２０に取り付けて、使用しないときには、内部の消毒剤６６がこぼれないように蓋８２を閉じる。
【００４０】
次に、図５を参照して、本実施形態の使用手順の一例を説明する。上述した手順によって組み立てられた呼気浄化器１０（図５(A)参照）のキャップ７０の爪７８を押すと、蓋８２のロックが解除され、蓋８２を開けることができる。蓋８２を開けた状態を上方から見た状態が、図５(B)に示されている。そして、図５(B)に示す状態から、センターストロー５０の中空部５２に収納された呼気導入ストロー６０を、図５(C)に示すように引き出す。使用者１００は、引き出した呼気導入ストロー６０の上端６０Ａを口に含み、呼気９０を送り込むと、センターストロー５０の下端５０Ｂと、多数の空気穴５４からボトル本体１２の内部に呼気９０が送り込まれる。そして、ボトル本体１２の底部に設けられた内部スポンジ体２２と、ボトル本体１２の筒部１４の側面に広がるように設けられた消毒剤吸収体３０に呼気９０が当たって消毒され、消毒済みの呼気９２が、上部スポンジ体４０の微細孔を介して外部に排出される。
【００４１】
このような呼気浄化器１０は、使用しないときには、呼気導入ストロー６０をセンターストロー５０の中空部５２に収納し、筒口２０をキャップ７０の蓋８２で塞ぐことにより、内部の消毒剤６６をこぼさずに携帯することができる。
【００４２】
以上説明したように、本実施形態によれば、上方が開口した筒口２０を有するボトル本体１２と、該ボトル本体１２の内部に収容される消毒剤６６と、前記ボトル本体１２の内側の底部に設けられており、前記消毒剤６６を吸収する多孔質で弾性を有し、中央に貫通孔２４を有する内部スポンジ２２体（第１の消毒剤吸収体）と、前記ボトル本体１２の内面に沿って、前記内部スポンジ体２２よりも上方に設けられており、前記消毒剤６６を吸収する消毒剤吸収体３０（第２の消毒液吸収体）と、前記ボトル本体１２の筒口２０の内側に設けられており、多孔質で弾性を有するスポンジからなり、中央に、前記内部スポンジ体２２の貫通孔２４と同一径の貫通孔４２を有する上部スポンジ体４０と、該上部スポンジ体４０の貫通孔４２から、前記内部スポンジ体２２の貫通孔２４に達し、かつ、前記上部スポンジ体４０から上方に突出するように配置され、中空であって、周囲に多数の空気穴５４を有するセンターストロー５０と、該センターストロー５０の中空部５２に収納可能であって、呼気を前記センターストロー５０の下端５０Ｂ及び空気穴５４を介して前記ボトル本体１２内に送り込む呼気導入ストロー６０と、前記ボトル本体１２の筒口２２に着脱可能に取り付けられ、かつ、取り外さずに開閉可能な蓋部を有するキャップ７０を備える構成とした。
【００４３】
この構成により、呼気導入ストロー及びセンターストローによってボトル本体に導入された呼気が、当該ボトル本体の内面に沿って設けられた消毒剤吸収体に広い面積で接触することで浄化（殺菌、滅菌、除菌等）され、浄化済みの呼気が、上部スポンジ体を介して外部に放出される。このため、安価でかつ簡単な構成で、製作が容易な呼気浄化器１０を提供することができ、保菌者又はその可能性がある者が使用することで、周囲の人々が感染するのを防止することができる。
【００４４】
また、呼気浄化器１０を構成する各部材は、接着剤等を用いずに組立可能なため、組立が容易であるとともに、接着剤が溶けることによる不都合が生じることがない。更に、消毒剤６６として、うがい薬を使用することにより、消毒効果があり、吹き戻しのうがい薬による口内の消毒も可能となる。また、消毒剤６６を吸い上げてうがい薬として使用してもよい。なお、消毒剤６６の追加も可能である。
【００４５】
なお、本考案は、上述した実施形態に限定されるものではなく、本考案の要旨を逸脱しない範囲内において種々変更を加え得ることができる。例えば、以下のものも含まれる。
(1)前記実施形態で示したボトル本体１２の形状や容量は一例であり、同様の効果を奏する範囲内で適宜変更してよい。
(2)前記実施形態では、第２の消毒液吸収体として、１つの消毒液吸収体３０を用いることとしたが、これも一例であり、必要に応じて、２つ以上の消毒液吸収体３０を用いてもよい。
(3)前記実施形態で示したキャップ７０の構成も一例であり、同様の効果を奏する範囲内で適宜設計変更してよい。
(4)本考案の呼気浄化器は、例えば、映画館、競技場、家庭内など、人が集まる場所で使用することにより、保菌者又はその可能性がある者から、周囲の人々への感染を防止することができる。また、新型コロナウイルスのみではなく、インフルエンザなどの感染拡大防止にも適用できる。
【産業上の利用可能性】
【００４６】
本考案によれば、上方が開口した筒口を有するボトル本体と、該ボトル本体の内部に収容される消毒剤と、前記ボトル本体の内側の底部に設けられており、前記消毒剤を吸収する多孔質で弾性を有するスポンジからなり、中央に貫通孔を有する第１の消毒剤吸収体と、前記ボトル本体の内面に沿って、前記第１の消毒剤吸収体よりも上方に設けられており、前記消毒剤を吸収する第２の消毒剤吸収体と、前記ボトルの筒口の内側に設けられており、多孔質で弾性を有するスポンジからなり、中央に、前記第１の消毒剤吸収体の貫通孔と同一径の貫通孔を有する上部スポンジ体と、該上部スポンジ体の貫通孔から、前記第１の消毒剤吸収体の貫通孔に達し、かつ、前記上部スポンジ体から上方に突出するように配置され、中空であって、周囲に多数の空気穴を有するセンターストローと、該センターストローの中空部に収納可能であって、呼気を前記センターストローの空気穴を介して前記ボトル本体内に送り込む呼気導入ストローと、前記ボトル本体の筒口に着脱可能に取り付けられ、かつ、取り外さずに開閉可能な蓋部を有するキャップ、を備えることとした。
【００４７】
この構成により、呼気導入ストロー及びセンターストローによってボトル本体に導入された呼気が、当該ボトル本体の内面に沿って設けられた消毒剤吸収体に広い面積で接触することで浄化（殺菌、滅菌、除菌等）され、浄化済みの呼気が、上部スポンジ体を介して外部に放出される。このため、安価でかつ簡単な構成で、製作が容易であり、呼気を浄化してから外部に放出することができ、保菌者又はその可能性がある者が使用することで、感染症の予防をすることができるため、呼気浄化器の用途に適用できる。特に、密閉された空間に複数人が集まる場合に好適である。
【符号の説明】
【００４８】
１０：呼気浄化器
１２：ボトル本体
１４：筒部
１６：底部
１８：傾斜部
２０：筒口
２０Ａ：上端部
２２：内部スポンジ体（第１の消毒剤吸収体）
２４：貫通孔
３０：消毒剤吸収体（第２の消毒剤吸収体）
３２：芯材
３４：布地
４０：上部スポンジ体
４２：貫通孔
５０：センターストロー
５０Ａ：上端
５０Ｂ：下端
５２：中空部
５４：空気穴
６０：呼気導入ストロー
６０Ａ：上端
６０Ｂ：下端
６２：中空部
６４：ジャバラ部
６６：消毒剤
７０：キャップ
７２：フランジ部
７４：取り付け部
７６：筒部
７７：中空部
７８：爪
８０：ヒンジ部
８２：蓋部
９０：呼気
９２：消毒済みの呼気
１００：使用者
【図１】
0003230015.tif 000003
【図２】
0003230015.tif 000004
【図３】
0003230015.tif 000005
【図４】
0003230015.tif 000006
【図５】
0003230015.tif 000007